(57)【要約】【課題】付加情報が記憶された半導体チップの有無を検知して、半導体チップが検知された場合に、その旨をユーザに認識させる。【解決手段】コピー装置１は、原稿用紙４０からＩＣチップ３の有無を検知し、ＩＣチップ３が検知された場合に、このＩＣチップ３からデータを読み取る。読み取られたデータが画像として印刷可能な付加情報である場合に、コピー装置１は、印刷処理を停止させ、付加情報がある旨をユーザに通知して、ユーザの指示を待つ。ユーザから付加情報を印刷するよう指示されると、コピー装置１は、ユーザが指定した出力形式で原稿用紙４０から読み取った画像と、ＩＣチップ３から読み取った付加情報とを印刷用紙４２に印刷する。【選択図】　　　　　図１
2004088584.tif 000002
【特許請求の範囲】
【請求項１】
画像が表示された画像表示部材と、画像読取装置とを有する画像読取システムであって、
第１の前記画像表示部材は、
所定のデータを記憶し、前記記憶されたデータを外部に対して提供するデータ提供装置
を有し、
前記画像読取装置は、
前記表示された画像を読み取る画像読取手段と、
前記第１の画像表示部材、または、前記第１の画像表示部材以外の第２の画像表示部材から、前記提供されるデータを読み取るデータ読取手段と、
前記読み取られた画像および前記読み取られたデータ、または、これらのいずれかを出力する出力手段と、
前記提供されるデータが読み取られたか否かに応じて、前記表示された画像を読み取る読取処理および前記読み取られた画像を出力する出力処理、または、これらのいずれかを制御する制御手段と
を有する
画像読取システム。
【請求項２】
画像が表示された画像表示部材から画像を読み取る画像読取装置であって、前記画像表示部材は、所定のデータを記憶し、前記記憶されたデータを外部に対して提供するデータ提供装置を有することがあり、
前記表示された画像を読み取る画像読取手段と、
前記提供されるデータを読み取るデータ読取手段と、
前記読み取られた画像および前記読み取られたデータ、または、これらのいずれかを出力する出力手段と、
前記提供されるデータが読み取られたか否かに応じて、前記表示された画像を読み取る読取処理および前記読み取られた画像を出力する出力処理、または、これらのいずれかを制御する制御手段と
を有する画像読取装置。
【請求項３】
前記制御手段は、前記提供されるデータが読み取られた場合に、前記読み取られたデータに応じて、前記読み取られた画像および前記読み取られたデータ、または、これらのいずれかを出力させ、これ以外の場合に、前記読み取られた画像を出力させる
請求項２に記載の画像読取装置。
【請求項４】
前記提供されるデータは、このデータの属性を示す属性データを含み、
前記制御手段は、前記読み取られたデータに含まれる属性データに基づいて、前記提供されるデータの属性を判別し、前記判別された属性が画像として出力可能なデータの属性であるか否かに応じて制御する
請求項３に記載の画像読取装置。
【請求項５】
前記制御手段は、前記判別された属性が画像として出力可能なデータ属性である場合に、前記読取処理または前記出力処理を中断させ、
前記判別された属性が画像として出力可能なデータ属性である場合に、前記読み取られる画像および前記読み取られたデータの中から、出力させる出力データを選択する操作を促す操作手段
をさらに有する請求項４に記載の画像読取装置。
【請求項６】
前記操作手段は、前記出力データを選択する操作を受け付け、
前記制御手段は、前記出力データが選択された場合に、前記中断された読取処理または出力処理を再開させて、前記選択された出力データを出力させる
請求項５に記載の画像読取装置。
【請求項７】
前記操作手段は、前記出力データが出力されるときの出力形式を指定する操作をさらに受け付け、
前記制御手段は、前記指定された出力形式で、前記選択された出力データを出力させる
請求項６に記載の画像読取装置。
【請求項８】
前記制御手段は、前記読み取られる画像および前記読み取られたデータが前記出力データとして選択された場合に、前記指定された出力形式に従い、前記読み取られた画像および前記読み取られたデータを、それぞれ別々の画像形成媒体に出力させる
請求項７に記載の画像読取装置。
【請求項９】
前記制御手段は、前記読み取られる画像および前記読み取られたデータが前記出力データとして選択された場合に、前記指定された出力形式に従い、前記読み取られた画像および前記読み取られたデータを、画像形成媒体の互いに異なる面にそれぞれ出力させる
請求項７に記載の画像読取装置。
【請求項１０】
前記指定された出力形式に従い、前記読み取られた画像と、前記読み取られたデータとを合成する合成手段
をさらに有し、
前記制御手段は、前記読み取られた画像および前記読み取られたデータが前記出力データとして選択された場合に、前記指定された出力形式に従い、前記合成されたデータを出力させる
請求項７に記載の画像読取装置。
【請求項１１】
前記合成手段は、前記指定された出力形式に従い、前記読み取られた画像と前記読み取られたデータが示す画像とを重ね合わせて表示できるように、または、前記読み取られた画像と前記読み取られたデータが示す画像とを並べて表示できるように、合成する
請求項１０に記載の画像読取装置。
【請求項１２】
画像が表示された画像表示部材を用いる画像読取方法であって、第１の前記画像表示部材は、所定のデータを記憶し、前記記憶されたデータを外部に対して提供するデータ提供装置を有し、
前記第１の画像表示部材、または、前記第１の画像表示部材以外の第２の画像表示部材から、前記提供されるデータを読み取り、
前記提供されるデータが読み取られたか否かに応じて、前記表示された画像を読み取る読取処理および前記読み取られた画像を出力する出力処理、または、これらのいずれかを制御し、
前記制御に従って、前記表示された画像を読み取り、
前記制御に従って、前記読み取られた画像および前記読み取られたデータ、または、これらのいずれかを出力する
画像読取方法。
【請求項１３】
画像が表示された画像表示部材と、コンピュータを含む画像読取装置とを有する画像読取システムにおいて、　第１の前記画像表示部材は、所定のデータを記憶し、前記記憶されたデータを外部に対して提供するデータ提供装置を有し、
前記表示された画像を読み取るステップと、
前記第１の画像表示部材、または、前記第１の画像表示部材以外の第２の画像表示部材から、前記提供されるデータを読み取るステップと、
前記読み取られた画像および前記読み取られたデータ、または、これらのいずれかを出力するステップと、
前記提供されるデータが読み取られたか否かに応じて、前記表示された画像を読み取る読取処理および前記読み取られた画像を出力する出力処理、または、これらのいずれかを制御するステップと
を前記画像読取装置のコンピュータに実行させるプログラム。
【発明の詳細な説明】
【０００１】
【発明の属する技術分野】
本発明は、原稿に付された非接触メモリの有無を検知し、非接触メモリの有無に応じた処理を行う画像読取システムおよびその方法に関する。
【０００２】
【従来の技術】
例えば、「ＭＹＣＯＭ　ＰＣ　ＷＥＢ，　ＮＥＷＳ　ＨＥＡＤＬＩＮＥ，　（２００２年７月５日；　ｈｔｔｐ：／／ｐｃｗｅｂ．ｍｙｃｏｍ．ｃｏ．ｊｐ／ｎｅｗｓ／２００１／０７／０５／２２．ｈｔｍｌ）」（文献１）は、記憶したデータを、外部から非接触で読み取ることができる小型の半導体チップ（「ミューチップ」）を開示する。
また、「特開２００１−２２９１９９号公報」、「特開２０００−２８５２０３号公報」、「特開２００１−１３４６７２号公報」、「特開２００１−２８３０１１号公報」、「特開２００１−１４８０００号公報」および「特開２００１−２６０５８０号公報」（文献２〜８）は、上述の半導体チップの応用例を開示する。
【０００３】
【発明が解決しようとする課題】
本発明は、上述した背景からなされたものであり、付加情報等が記憶された半導体チップの有無を検知して、半導体チップが検知された場合に、その旨をユーザに認識させることができる画像読取システムおよびその方法を提供することを目的とする。
【０００４】
【課題を解決するための手段】
［画像形成システム］
上記目的を達成するために、本発明にかかる画像読取システムは、画像が表示された画像表示部材と、画像読取装置とを有する画像読取システムであって、第１の前記画像表示部材は、所定のデータを記憶し、前記記憶されたデータを外部に対して提供するデータ提供装置を有し、前記画像読取装置は、前記表示された画像を読み取る画像読取手段と、前記第１の画像表示部材、または、前記第１の画像表示部材以外の第２の画像表示部材から、前記提供されるデータを読み取るデータ読取手段と、前記読み取られた画像および前記読み取られたデータ、または、これらのいずれかを出力する出力手段と、前記データ提供装置の有無に応じて、前記表示された画像を読み取る読取処理および前記読み取られた画像を出力する出力処理、または、これらのいずれかを制御する制御手段とを有する。
【０００５】
好適には、前記制御手段は、前記提供されるデータが読み取られた場合に、前記読み取られたデータに応じて、前記読み取られた画像および前記読み取られたデータ、または、これらのいずれかを出力させ、これ以外の場合に、前記読み取られた画像を出力させる。
【０００６】
好適には、前記提供されるデータは、このデータの属性を示す属性データを含み、前記制御手段は、前記読み取られたデータに含まれる属性データに基づいて、前記提供されるデータの属性を判別し、前記判別された属性が画像として出力可能なデータの属性であるか否かに応じて制御する。
【０００７】
好適には、前記制御手段は、前記判別された属性が画像として出力可能なデータ属性である場合に、前記読取処理または前記出力処理を中断させ、前記画像読取装置は、前記判別された属性が画像として出力可能なデータ属性である場合に、前記読み取られる画像および前記読み取られたデータの中から、出力させる出力データを選択する操作を促す操作手段をさらに有する。
【０００８】
好適には、前記操作手段は、前記出力データを選択する操作を受け付け、前記制御手段は、前記出力データが選択された場合に、前記中断された読取処理または出力処理を再開させて、前記選択された出力データを出力させる。
【０００９】
好適には、前記操作手段は、前記出力データが出力されるときの出力形式を指定する操作をさらに受け付け、前記制御手段は、前記指定された出力形式で、前記選択された出力データを出力させる。
【００１０】
好適には、前記制御手段は、前記読み取られる画像および前記読み取られたデータが前記出力データとして選択された場合に、前記指定された出力形式に従い、前記読み取られた画像および前記読み取られたデータを、それぞれ別々の画像形成媒体に出力させる。
【００１１】
好適には、前記制御手段は、前記読み取られる画像および前記読み取られたデータが前記出力データとして選択された場合に、前記指定された出力形式に従い、前記読み取られた画像および前記読み取られたデータを、画像形成媒体の互いに異なる面にそれぞれ出力させる。
【００１２】
好適には、前記画像読取装置は、前記指定された出力形式に従い、前記読み取られた画像と、前記読み取られたデータとを合成する合成手段をさらに有し、前記制御手段は、前記読み取られた画像および前記読み取られたデータが前記出力データとして選択された場合に、前記指定された出力形式に従い、前記合成されたデータを出力させる。
【００１３】
好適には、前記合成手段は、前記指定された出力形式に従い、前記読み取られた画像と前記読み取られたデータが示す画像とを重ね合わせて表示できるように、または、前記読み取られた画像と前記読み取られたデータが示す画像とを並べて表示できるように、合成する。
【００１４】
［画像読取装置］
また、本発明にかかる画像読取装置は、上記いずれかの画像読取システムの画像読取装置である。
【００１５】
［画像形成方法］
また、本発明にかかる画像読取方法は、画像が表示された画像表示部材を用いる画像読取方法であって、第１の前記画像表示部材は、所定のデータを記憶し、前記記憶されたデータを外部に対して提供するデータ提供装置を有し、前記第１の画像表示部材、または、前記第１の画像表示部材以外の第２の画像表示部材から、前記提供されるデータを読み取り、前記提供されるデータが読み取られたか否かに応じて、前記表示された画像を読み取る読取処理および前記読み取られた画像を出力する出力処理、または、これらのいずれかを制御し、前記制御に従って、前記表示された画像を読み取り、前記制御に従って、前記読み取られた画像および前記読み取られたデータ、または、これらのいずれかを出力する。
【００１６】
［プログラム］
また、本発明にかかるプログラムは、画像が表示された画像表示部材と、コンピュータを含む画像読取装置とを有する画像読取システムにおいて、第１の前記画像表示部材は、所定のデータを記憶し、前記記憶されたデータを外部に対して提供するデータ提供装置を有し、前記表示された画像を読み取るステップと、前記第１の画像表示部材、または、前記第１の画像表示部材以外の第２の画像表示部材から、前記提供されるデータを読み取るステップと、前記読み取られた画像および前記読み取られたデータ、または、これらのいずれかを出力するステップと、前記提供されるデータが読み取られたか否かに応じて、前記表示された画像を読み取る読取処理および前記読み取られた画像を出力する出力処理、または、これらのいずれかを制御するステップとを前記画像読取装置のコンピュータに実行させる。
【００１７】
【発明の実施の形態】
［背景］
まず、本発明の理解を助けるために、本発明がなされるに至った背景を説明する。
画像を印刷する印刷媒体に、極小サイズの半導体チップを付すことにより、印刷媒体表面から視認される画像情報に加えて、半導体チップに記憶されている情報を提供することが可能となった。
この半導体チップは、大きさを１ｍｍ以下にすることができ、印刷媒体に付しても印刷した画像に影響を与えることはない。
【００１８】
このような印刷媒体の利用の一例として、印刷媒体の表面に地図が印刷され、この印刷媒体に付された半導体チップに、レストランの外観、メニュー、営業時間等の情報を記憶させておく形態を挙げることができる。
ユーザは、印刷媒体の地図を見て、レストランに関するより詳しい情報が欲しい場合には、半導体チップに記憶されている情報を読み出して表示させることができる。
しかしながら、ユーザは、このような半導体チップの存在に気づかなければ、半導体チップに記憶されている情報を取り出すことができない。
【００１９】
また、半導体チップに記憶されているデータは、必ずしも印刷可能なデータ（画像データ、テキストデータ等）であるとは限らず、印刷不可能な音声データまたは動画データ等である可能性もある。
そのため、ユーザは、たとえ半導体チップが付されていることに気づいても、半導体チップに記憶されているデータが印刷可能か否か判断できない場合がある。
【００２０】
本発明にかかる画像読取方法は、以上のような背景から、印刷媒体上の画像を読み取るときに、半導体チップの有無および半導体チップが印刷可能なデータを記憶しているか否かを判別し、ユーザに対して半導体チップの有無または印刷可能なデータの有無を通知する。
本発明にかかる画像読取方法は、このようにして、半導体チップに記憶されたデータの存在をユーザに気づかせて、半導体チップ内のデータの有効利用を可能にしている。
【００２１】
［概要］
次に、本実施形態の概要を説明する。
図１は、本発明にかかる画像読取方法が適応されるコピー装置１のハードウェア構成を、その制御装置２を中心に例示する図である。
図１に示すように、コピー装置１は、制御装置２およびコピー装置本体１０から構成される。
制御装置２は、ＣＰＵ２０２およびメモリ２０４などを含む制御装置本体２０、通信装置２２、ＨＤＤ・ＦＤＤ・ＣＤ装置などの記録装置２４、ＬＣＤ表示装置あるいはＣＲＴ表示装置およびキーボード・タッチパネルなどを含むユーザインタフェース装置（ＵＩ装置）２６、および、アンテナ２８０を有するＩＣチップインターフェース（ＩＣチップＩＦ）２８から構成される。
【００２２】
図２（Ａ）は、本発明にかかる画像読取方法において原稿として用いられる第１の原稿用紙４０−１（第１の画像表示装置）を例示し、図２（Ｂ）は、図２（Ａ）に例示した第１の原稿用紙４０−１に基づいて印刷された印刷用紙４２（画像形成媒体）を例示する。
図３は、図２（Ａ）に例示したＩＣチップ３（データ提供装置）が記憶するデータを例示する図である。
なお、原稿用紙４０には、ＩＣチップ３が付された第１の原稿用紙４０−１（第１の画像表示部材）と、ＩＣチップ３が付されていない第２の原稿用紙４０−２（第２の画像表示部材）とがある。
【００２３】
図２（Ａ）に例示するように、第１の原稿用紙４０−１には、コピー装置１（図１）による読み取りの対象となる画像（以下、原稿画像）が表示されている。
また、第１の原稿用紙４０−１には、ＩＣチップ３が付されている。
このＩＣチップ３は、非接触にデータの読み出し可能な半導体チップであり、図３に例示するように、画像データ（付加情報Ａ）、テキストデータ（付加情報Ｂ）、および、音声データ（付加情報Ｃ）等を記憶している。
これらの付加情報は、例えば、第１の原稿用紙４０に表示された原稿画像と関連し、ユーザに付加的な情報を提供することを目的とする。
【００２４】
また、ＩＣチップ３に記憶されている付加情報は、そのデータの属性（画像データ、テキストデータまたは音声データ等）を示す属性データを含む。
属性データの例としては、付加情報のデータファイル名に付された拡張子（＊＊．ｔｘｔ、または、＊＊．ｈｔｍｌ等）などである。
【００２５】
コピー装置１（図１）は、図２で例示した原稿用紙４０−１が画像読取位置にセットされコピー処理の開始が指示されると、ＩＣチップＩＦ２８（図１）を制御して、原稿用紙４０−１に付されたＩＣチップ３から付加情報の読み取りを試みる。
コピー装置１は、ＩＣチップ３から付加情報が読み取られた場合、ＩＣチップ３から読み取った付加情報に含まれる属性データに基づいて、読み取られたデータの属性を判別する。
コピー装置１は、読み取られた付加情報の属性が印刷可能な属性であると判別された場合に、コピー処理を中断して、印刷可能な付加情報がある旨をユーザに伝え、ユーザの指示を待つ。
一方、コピー装置１は、これ以外の場合に、通常のコピー処理を行う。
【００２６】
ユーザが付加情報を印刷するよう指示した場合、コピー装置１（図１）は、図２（Ｂ）に例示するように、原稿用紙４０−１から読み取った原稿画像と、ＩＣチップ３から読み取った付加情報とを、それぞれ別の印刷用紙４２−１および印刷用紙４２−２に印刷する。
なお、コピー装置１は、ユーザの指示に従い、図２（Ｂ）に例示する出力形式の他に、両面印刷および合成印刷（図１３、図１４を参照して後述）など複数の出力形式で印刷することができる。
【００２７】
［実施例］
以下、本発明にかかる画像読取方法の実施例を、具体例を挙げて、さらに詳細に説明する。
図４は、図１に示したコピー装置本体１０のハードウェア構成を例示する図である。
図４に示すように、コピー装置本体１０は、用紙トレイ部１２、ゼログラフィなどにより画像を印刷用紙４２に印刷するプリントエンジン１４、および、スキャナ１６などから構成される。
スキャナ１６は、原稿用紙４０（図２）から原稿画像等を読み取るスキャナヘッド１８を含む。
スキャナ１６は、スキャナヘッド１８を矢印方向に移動させて、スキャナ１６の上面の透明板上に載せられた原稿用紙４０から原稿画像等を読み取る。
また、ＵＩ装置２６は、コピー装置本体１０の上部に配設される。
なお、制御装置２（図１）は、図４に示すように、実際にはコピー装置本体１０の内部に収容される。
【００２８】
［スキャナ１６・スキャナヘッド１８］
図５は、図４に示したコピー装置１を上方から見た場合のスキャナ１６の概略を示す図である。
図５に示すように、スキャナ１６は、スキャナヘッド１８と、このスキャナヘッド１８を矢印方向に移動させるヘッド駆動部（不図示）から構成される。
また、スキャナヘッド１８は、原稿用紙４０の画像を読み取る光学センサ１８０、ＩＣチップＩＦ２８およびアンテナ２８０から構成される。
ＩＣチップＩＦ２８およびアンテナ２８０は、スキャナヘッド１８の筐体表面であって原稿用紙４０に対向する面に、スキャナヘッド１８の移動方向（矢印方向）に対して略直角方向に複数個並べて配設され、アンテナアレイを構成する。
つまり、スキャナヘッド１８は、原稿用紙４０の画像を読み取る一般的なスキャナヘッド装置に、ＩＣチップＩＦ２８およびアンテナ２８０が付加されたハードウェア構成を採る。
【００２９】
スキャナ１６は、スキャナヘッド１８をスキャン始点位置からスキャン終点位置まで移動させながら、原稿用紙４０の原稿画像およびＩＣチップ３の付加情報を、それぞれスキャナヘッド１８に設けられた光学センサ１８０およびＩＣチップＩＦ２８に読み取らせる。
また、スキャナ１６は、ＩＣチップ３を検知した時の、スキャナヘッド１８の位置と、ＩＣチップ３を検知したアンテナ２８０の位置とに基づいて、原稿用紙４０におけるＩＣチップ３の位置を特定することができる。
【００３０】
［ＩＣチップ３・ＩＣチップＩＦ２８］
図６は、図２（Ａ）に示したＩＣチップ３の構成を示す図である。
図７は、図１、図５に示したＩＣチップＩＦ２８の構成を示す図である。
図６に示すように、ＩＣチップ３は、アンテナ３００、クロック再生回路３２０、メモリ回路３２２、データ送信回路３２４および電源回路３２６から構成される。
なお、原稿用紙４０のＩＣチップ３が、アンテナ２８０のごく近傍を通過することが保証されている場合には、アンテナ３００を有さないＩＣチップ３が用いられる場合がある。
【００３１】
また、図７に示すように、ＩＣチップＩＦ２８は、送信回路２８４、受信回路２８６、送受信制御回路２８２および復調回路２８８から構成される。
以下に説明するＩＣチップ３およびＩＣチップＩＦ２８の各構成部分の動作により、ＩＣチップ３に記憶された情報（データ）が、ＩＣチップＩＦ２８により、非接触で読み取られる。
【００３２】
ＩＣチップ３（図６）において、電源回路３２６（図６）は、アンテナ３００を介して供給される電波信号を整流して、ＩＣチップ３の各構成部分に対して、それらの動作に必要な電力を供給する。
【００３３】
クロック再生回路３２０は、アンテナ３００を介してＩＣチップＩＦ２８から供給される電波信号から、クロック信号を再生し、メモリ回路３２２およびデータ送信回路３２４に対して出力する。
【００３４】
メモリ回路３２２は、クロック再生回路３２０から入力されたクロック信号に同期して、記憶した付加情報（図３）を示すデータを、データ送信回路３２４に対して出力する。
【００３５】
データ送信回路３２４は、クロック再生回路３２０から入力されたクロック信号に同期して、メモリ回路３２２から入力されるデータの値に従って、ＩＣチップＩＦ２８側から供給される電波信号の反射強度を変更する。
このように、メモリ回路３２２が記憶した情報を示すデータは、ＩＣチップＩＦ２８からＩＣチップ３に対して送信された電波信号の反射信号の強度を変更することにより、ＩＣチップ３からＩＣチップＩＦ２８に対して送信される。
【００３６】
ＩＣチップＩＦ２８（図７）において、送受信制御回路２８２は、ＩＣチップＩＦ２８の各構成部分の動作を制御する。
また、送受信制御回路２８２は、受信回路２８６により受信され、復調回路２８８により復調された付加情報（図３）などを示すデータを、制御装置本体２０（画像読取プログラム５；図８を参照して後述）に対して出力する。
【００３７】
送信回路２８４は、アンテナ２８０を介して、クロック信号などを含む電波信号を、ＩＣチップ３に対して供給する。
【００３８】
受信回路２８６は、ＩＣチップ３側からの反射信号を受信し、復調回路２８８に対して出力する。
【００３９】
復調回路２８８は、受信回路２８６から入力される反射信号の変化から、ＩＣチップ３が送信したデータを復調し、送受信制御回路２８２に対して出力する。
【００４０】
［画像読取プログラム５］
図８は、制御装置２（図１、図４）により実行され、本発明にかかる画像読取方法を実現する画像読取プログラム５の構成を示す図である。
図８に示すように、画像読取プログラム５は、画像読取部５００（画像読取手段）、ＵＩ部５１０（操作手段）、データ読取部５２０（データ読取手段）、制御部５３０（制御手段）、画像処理部５５０および印刷部５６０（出力手段）から構成される。
また、画像読取部５００は、ＡＤ変換部５０２およびシェーディング部５０４を有し、画像処理部５５０は、色変換部５５２、合成部５５４（合成手段）および精細度補正部５５６を有する。
【００４１】
画像読取プログラム５は、ＩＣチップ３の有無に応じて、原稿用紙４０から読み取った画像およびＩＣチップ３から読み取った付加情報、または、これらのいずれかを印刷する。
画像読取プログラム５は、例えば記録媒体２４０（図１）を介して制御装置２に供給され、メモリ２０４にロードされて実行される。
【００４２】
画像読取プログラム５において、画像読取部５００は、スキャナ１６（図４、図５）などコピー装置本体１０の構成部分を制御して、プリスキャンおよび本スキャンを順に行う。
プリスキャンにおいて、画像読取部５００は、原稿用紙４０の大きさを検知する原稿サイズ検知処理、および、原稿用紙４０の用紙自身の色を検出する原稿地肌検出処理を行う。
本スキャンにおいて、画像読取部５００は、スキャナ１６を制御して、原稿用紙４０（図２）に表示された原稿画像を読み取る。
ＡＤ変換部５０２は、光学センサ１８０（図５）により読み取られた画像信号を量子化して、ディジタルデータである画像データに変換する。
シェーディング部５０４は、ＡＤ変換部５０２により変換された画像データを、シェーディング補正する。
【００４３】
ＵＩ部５１０は、付加情報が画像として印刷可能な属性を有すると判断された場合に、ＵＩ装置２６（図１、図４）を制御して、ユーザに対して印刷する付加情報を選択する操作を促す選択情報を表示させる。
また、ＵＩ部５１０は、印刷する付加情報を選択するユーザ操作を受け入れ、印刷する付加情報を指定する出力データ情報を制御部５３０に対して出力する。さらに、ＵＩ部５１０は、選択された出力データを出力するときの出力形式を指示するためのユーザ操作を受け入れ、指示された出力形式を指定する指定情報を制御部５３０に対して出力する。
【００４４】
データ読取部５２０は、ＩＣチップＩＦ２８を制御して、ＩＣチップ３から付加情報など（図３）を示すデータを読み出し、制御部５３０および画像処理部５５０に対して出力する。
例えば、データ読取部５２０は、本スキャンよりも高速なプリスキャン時に、ＩＣチップ３からデータを読み出し、ＩＣチップ３の有無等を判別する。
【００４５】
制御部５３０は、データ読取部５２０から入力された付加情報の属性を判別する。
制御部５３０は、付加情報の属性が印刷可能な属性（画像データまたはテキストデータ）である場合に、画像読取部５００を制御して、画像を読み取る読取処理（本スキャン）を中止させ、これ以外の場合に、読取処理を許可する。
また、制御部５３０は、ＵＩ部５１０から出力データ情報および指定情報が入力されると、画像処理部５５０を制御して、出力データ情報により指定される付加情報と、読み取られた原稿画像とを、指定情報により指定される出力形式で印刷させる。
また、原稿画像の読取処理が中止された後に、原稿画像の印刷を指定する出力データ情報がＵＩ部５１０から入力されると、制御部５３０は、画像読取部５００を制御して、読取処理を再開させて、原稿用紙４０から原稿画像を読み取らせる。
【００４６】
画像処理部５５０において、色変換部５５２は、画像読取部５００から入力された画像のＲＧＢ信号を、規格化された色空間で定義された信号（Ｌａｂ等）に変換する。
合成部５５４は、原稿画像および付加情報を合成して印刷する出力形式が指定された場合に、色変換部５５２により変換された原稿画像と、データ読取部５２０から入力された付加情報とを合成する。
精細度補正部５５６は、合成部５５４により合成された画像のシャープネスを調整する。
最後に、色変換部５５２が、精細度補正部５５６により調整された画像データを、ＹＭＣＫ信号に変換し、印刷部５６０に対して出力する。
【００４７】
印刷部５６０は、プリントエンジン１４（図４）などを制御して、画像処理部５５０から入力された画像データを、指定情報により指定される出力形式で印刷用紙４２（図２（Ｂ））に印刷する。
【００４８】
［全体動作］
以下、コピー装置１の全体的な動作を説明する。
図９は、コピー装置１（画像読取プログラム５）の第１の動作（Ｓ１０）を示すフローチャートである。
図１０は、図９に示すフローチャートのステップ１０８（Ｓ１０８）の処理において、ＵＩ装置２６（図１、図２）が表示する画面を例示する図である。
図１１は、図９に示すフローチャートのステップ１１２（Ｓ１１２）の処理において、ＵＩ装置２６が選択情報を表示する画面を例示する図である。
図１２は、図９に示すフローチャートのステップ１１４（Ｓ１１４）の処理において、ＵＩ装置２６が出力形式の指定を促すために表示する画面を例示する図である。
【００４９】
図９に示すように、ステップ１００（Ｓ１００）において、ユーザからコピー処理が指示されると、画像読取部５００（図８）は、スキャナ１６（図４、図５）などを制御して、原稿用紙４０に対してプリスキャンを行う。
このとき同時に、データ読取部５２０は、ＩＣチップＩＦ２８（図１、図５）を制御して、ＩＣチップ３からデータを読み取る。
【００５０】
ステップ１０２（Ｓ１０２）において、画像読取プログラム５は、ＩＣチップ３からデータが読み取られた場合に、Ｓ１０４の処理に進み、これ以外の場合に、Ｓ１２６の処理に進む。
【００５１】
ステップ１０４（Ｓ１０４）において、制御部５３０（図８）は、ＩＣチップ３から読み取られた属性データ（図３）を用いて、付加情報が画像として印刷可能な属性であるか否かを判断する。
画像読取プログラム５は、読み取られたデータが印刷可能な属性である場合に、Ｓ１０６の処理に進み、これ以外の場合に、Ｓ１２６の処理に進む。
【００５２】
ステップ１０６（Ｓ１０６）において、制御部５３０は、画像読取部５００を制御して、プリスキャンの後にスキャナヘッド１８（図５）がスキャン始点位置に戻ってきたときに、本スキャンを禁止して、画像の読取処理を中止させる。
【００５３】
ステップ１０８（Ｓ１０８）において、ＵＩ部５１０（図８）は、ＵＩ装置２６（図１、図４）を制御して、図１０に例示するように、ＩＣチップ３から読み取ったデータの中に印刷可能な付加情報が含まれている旨を表示させる。
【００５４】
ステップ１１０（Ｓ１１０）において、ＵＩ部５１０は、ＵＩ装置２６を介して、付加情報を印刷するか否かを指示するユーザ操作を受け入れる。
画像読取プログラム５は、図１０に例示するＵＩ装置２６のタッチパネル上の「はい」の位置が触れられた場合（付加情報を印刷するように指示された場合）に、Ｓ１１２の処理に進み、これ以外の場合に、Ｓ１２６の処理に進む。
【００５５】
ステップ１１２（Ｓ１１２）において、ＵＩ部５１０（図８）は、ＵＩ装置２６（図１、図４）を制御して、図１１に例示するように、印刷する付加情報を選択する操作を促す選択情報を表示させる。
ユーザが、図１１に例示するＵＩ装置２６のタッチパネル上の、印刷を希望する付加情報の表示位置（例えば、「レストラン外観を出力」または「レストラン内部の様子を出力」などが表示される位置）に触れると、ＵＩ部５１０は、触れられた位置に対応する出力データ情報を制御部５３０に対して出力する。
【００５６】
ステップ１１４（Ｓ１１４）において、ＵＩ部５１０は、ＵＩ装置２６（図３、図４）を制御して、図１２に例示するように、画像を印刷するときの出力形式を指定させる情報を表示させる。
【００５７】
ステップ１１６（Ｓ１１６）において、ユーザが、図１２に例示するＵＩ装置２６のタッチパネルにおいて、希望する出力形式の表示位置（例えば、「追加情報のみを出力」または「原稿と追加情報を別々に出力」などが表示される位置）に触れると、ＵＩ部５１０は、触れられた位置に対応する指定情報を制御部５３０に対して出力する。
画像読取プログラム５は、図１２に例示するＵＩ装置２６のタッチパネルにおいて、「追加情報のみを出力」の表示位置が触れられた場合（ＩＣチップ３から読み取った付加情報のみを印刷するよう指示する指定情報が入力された場合）に、Ｓ１２４の処理に進み、「原稿と追加情報を別々に出力」、「原稿と追加情報を並べて出力」または「原稿と追加情報を両面に出力」の表示位置が触れられた場合（原稿画像と付加情報との両方を印刷するよう指定する指定情報が入力された場合）に、Ｓ１１８の処理に進む。
【００５８】
ステップ１１８（Ｓ１１８）において、制御部５３０（図８）は、画像読取部５００に対して本スキャンを許可し、画像の読取処理を再開させる。
画像読取部５００は、本スキャンの許可に従い、スキャナ１６（図４、図５）を制御して、原稿用紙４０に表示された原稿画像（図２（Ａ））を読み取る。
【００５９】
ステップ１２０（Ｓ１２０）において、画像読取プログラム５は、原稿画像と付加情報とを合成して印刷する出力形態が指示された場合、Ｓ１２２の処理に進み、これ以外の場合に、Ｓ１２４の処理に進む。
【００６０】
ステップ１２２（Ｓ１２２）において、合成部５５４（図８）は、Ｌａｂに変換された画像データと、付加情報のデータ（画像データ、または、テキストデータに対応するフォントデータ）とを合成する。
【００６１】
ステップ１２４（Ｓ１２４）において、印刷部５６０（図８）は、プリントエンジン１４（図４）を制御して、ＹＭＣＫ変換された画像データを、指定された出力形式で印刷する。
例えば、図１２で例示する「原稿と追加情報を別々に出力」が指示された場合、印刷部５６０は、図２（Ｂ）に例示するように、原稿画像の画像データ、および、付加情報（画像またはテキスト画像）を、それぞれ印刷用紙４２＿１および印刷用紙４２＿２に印刷する。
【００６２】
ステップ１２６（Ｓ１２６）において、制御部５３０は、画像読取部５００を制御して、プリスキャン完了後すぐに本スキャンを行わせて、原稿画像を読み取らせる。
印刷部５６０は、読み取られた原稿画像を印刷用紙４２に印刷する。
つまり、画像読取プログラム５は、原稿用紙４０からＩＣチップ３が検出されなかった場合、および、画像として印刷可能な属性を有する付加情報が読み取られなかった場合に、通常のコピー処理を行う。
また、画像読取プログラム５は、付加情報を印刷するよう選択されなかった場合は、原稿画像を読み取り、そのまま印刷用紙４２に印刷する。
【００６３】
図１３（Ａ）は、図１２に例示した「原稿と追加情報を両面に出力」が出力形式として指定された場合に、コピー装置１（図１、図４）が印刷した印刷用紙４２の表面を例示し、図１３（Ｂ）は、コピー装置１が印刷した印刷用紙４２の裏面を例示する。
図１２に示した第１の動作（Ｓ１０）のＳ１１６の処理において、「原稿と追加情報を両面に出力」の表示位置が触れられた場合、Ｓ１２４の処理において、印刷部５６０（図８）は、プリントエンジン１４（図４）を制御して、図１３（Ａ）（Ｂ）に例示するように、印刷用紙４２の表面に原稿画像を印刷し、この印刷用紙４２の裏面に付加情報を印刷する。
【００６４】
図１４は、図１２に例示した「原稿と追加情報を並べて出力」が指定された場合に、コピー装置１が印刷した印刷用紙４２を例示する図である。
図１２に示した第１の動作（Ｓ１０）のＳ１１６の処理において、「原稿と追加情報を並べて出力」の表示位置が触れられた場合、Ｓ１２２の処理において、合成部５５４（図８）は、読み取られた原稿画像と付加情報とを並べて印刷できるように合成する。
印刷部５６０は、プリントエンジン１４（図４）を制御して、図１４に例示するように、印刷用紙４２の片面に原稿画像と付加情報とを並べて印刷する。
【００６５】
このように、コピー装置１は、ＩＣチップ３を検知し、画像として印刷可能な付加情報が読み取られた場合、コピー処理を一旦中止して、ユーザに印刷可能な付加情報がある旨を伝えることができる。
また、コピー装置１は、ユーザが選択した付加情報を、ユーザが指定した出力形態で印刷することができる。
【００６６】
［変形例］
図１５（Ａ）は、原稿画像に対応する位置にＩＣチップ３が付された原稿用紙４０を例示し、図１５（Ｂ）は、図１５（Ａ）に例示された原稿用紙４０に基づいて印刷された印刷用紙４２を例示する。
図１５（Ａ）に例示するように、原稿用紙４０には、原稿画像が表示され、この原稿画像の内容に応じて付加情報が必要とされる位置にＩＣチップ３が付されている。
例えば、原稿用紙４０は、地図画像を表示し、この地図上のレストランの位置に、ＩＣチップ３−Ａが付され、高速道路入り口の位置に、ＩＣチップ３−Ｂが付されている。
ＩＣチップ３−Ａには、このレストランのメニューが付加情報として記憶されており、ＩＣチップ３−Ｂには、高速道路の料金表が付加情報として記憶されている。
【００６７】
上記変形例における第２の動作を、図９を参照して説明する。
コピー装置１（図１、図４）の第２の動作においては、Ｓ１００の処理において、コピー装置１に上記原稿用紙４０がセットされコピー処理が指示されると、データ読取部５２０（図８）は、プリスキャン時に、ＩＣチップ３−ＡおよびＩＣチップ３−Ｂから付加情報を読み取り、さらに、ＩＣチップ３−ＡおよびＩＣチップ３−Ｂの位置を検知する。
【００６８】
Ｓ１１６の処理において、原稿画像と付加情報とを重ねて印刷する出力形式が指定された場合、Ｓ１２２の処理において、制御部５３０（図８）は、合成部５５４を制御して、図１５（Ｂ）に示すように、地図画像（原稿画像）のレストランの位置（ＩＣチップ３−Ａの位置）および高速道路入口の位置（ＩＣチップ３−Ｂの位置）に、メニューおよび高速道路の料金表を重ねて印刷できるように地図画像、メニューの画像および料金表の画像を合成させる。
Ｓ１２４において、印刷部５６０は、プリントエンジン１４（図４）を制御して、図１５（Ｂ）に示すように、合成された画像を印刷用紙４２に印刷する。
【００６９】
このように、付加情報を記憶しているＩＣチップ３の位置と、このＩＣチップ３から読み取った付加情報を印刷する位置とを対応させることは、付加情報が印刷される位置を原稿画像の内容等に応じて予め指定したい場合に好適である。
【００７０】
また、本実施形態において、コピー装置１（図１、図４）は、原稿画像および付加情報を、印刷用紙４２に印刷することにより出力する形態を説明したが、原稿画像および付加情報またはこれらのいずれかを、ＵＩ装置２６（図１、図４）の画面による表示、通信装置２２（図１）を介したＦＡＸ送信、または、通信装置２２を介した画像データ送信等により出力してもよい。
また、コピー装置１は、記録装置２４（図１）を制御して、原稿画像および付加情報またはこれらのいずれかをフレキシブルディスク等のリムーバブルメディアに記憶させることにより出力してもよい。
【００７１】
【発明の効果】
以上説明したように、本発明にかかる画像読取システムおよびその方法によれば、付加情報等が記憶された半導体チップの有無を検知して、半導体チップが検知された場合に、その旨をユーザに認識させることができる。
【図面の簡単な説明】
【図１】本発明にかかる画像読取方法が適応されるコピー装置のハードウェア構成を、その制御装置を中心に例示する図である。
【図２】（Ａ）は、本発明にかかる画像読取方法において原稿として用いられる第１の原稿用紙を例示する図であり、（Ｂ）は、（Ａ）に例示した第１の原稿用紙に基づいて印刷された印刷用紙を例示する図である。
【図３】図２（Ａ）に例示したＩＣチップが記憶するデータを例示する図である。
【図４】図１に示したコピー装置本体のハードウェア構成を例示する図である。
【図５】図４に示したコピー装置を上方から見た場合のスキャナの概略を示す図である。
【図６】図２（Ａ）に示したＩＣチップの構成を示す図である。
【図７】図１、図５に示したＩＣチップＩＦの構成を示す図である。
【図８】制御装置（図１、図４）により実行され、本発明にかかる画像読取方法を実現する画像読取プログラム５の構成を示す図である。
【図９】コピー装置（画像読取プログラム５）の第１の動作（Ｓ１０）を示すフローチャートである。
【図１０】図９に示すフローチャートのステップ１０８（Ｓ１０８）の処理において、ＵＩ装置（図１、図４）が表示する画面を例示する図である。
【図１１】図９に示すフローチャートのステップ１１２（Ｓ１１２）の処理において、ＵＩ装置（図１、図４）が選択情報を表示する画面を例示する図である。
【図１２】図９に示すフローチャートのステップ１１４（Ｓ１１４）の処理において、ＵＩ装置（図１、図４）が出力形式の指定を促す画面を例示する図である。
【図１３】（Ａ）は、図１２に例示した「原稿と追加情報を両面に出力」が指定された場合に、コピー装置が印刷した印刷用紙の表面を例示する図であり、（Ｂ）は、コピー装置が印刷した印刷用紙の裏面を例示する図である。
【図１４】図１２に例示した「原稿と追加情報を並べて出力」が指定された場合に、コピー装置が印刷した印刷用紙を例示する図である。
【図１５】（Ａ）は、原稿画像の内容に応じた位置にＩＣチップが付された原稿用紙を例示する図であり、（Ｂ）は、（Ａ）に例示された原稿用紙に基づいて印刷された印刷用紙を例示する図である。
【符号の説明】
１・・・コピー装置
１０・・・コピー装置本体
１２・・・用紙トレイ部
１４・・・プリントエンジン
１６・・・スキャナ
１８・・・スキャナヘッド
１８０・・・光学センサ
２・・・制御装置
２０・・・制御装置本体
２０２・・・ＣＰＵ
２０４・・・メモリ
２２・・・通信装置
２４・・・記録装置
２４０・・・記録媒体
２６・・・ＵＩ装置
２８・・・ＩＣチップＩＦ
２８０・・・アンテナ
５・・・画像読取プログラム
５００・・・画像読取部
５０２・・・ＡＤ変換部
５０４・・・シェーディング部
５１０・・・ＵＩ部
５２０・・・データ読取部
５３０・・・制御部
５５０・・・画像処理部
５５２・・・色変換部
５５４・・・合成部
５５６・・・精細度補正部
５６０・・・印刷部
４０・・・原稿用紙
３・・・ＩＣチップ
３００・・・アンテナ
３２０・・・クロック再生回路
３２２・・・メモリ回路
３２４・・・データ送信回路
３２６・・・電源回路
４２・・・印刷用紙
【図１】
2004088584.tif 000003
【図２】
2004088584.tif 000004
【図３】
2004088584.tif 000005
【図４】
2004088584.tif 000006
【図５】
2004088584.tif 000007
【図６】
2004088584.tif 000008
【図７】
2004088584.tif 000009
【図８】
2004088584.tif 000010
【図９】
2004088584.tif 000011
【図１０】
2004088584.tif 000012
【図１１】
2004088584.tif 000013
【図１２】
2004088584.tif 000014
【図１３】
2004088584.tif 000015
【図１４】
2004088584.tif 000016
【図１５】
2004088584.tif 000017